(57)【要約】  洗浄基材（５０）と共に表面を洗浄するためのモータ付き洗浄器具（１２）を提供する。このモータ付き洗浄器具は、緩衝パッド（２２）を往復運動させることのできるモータ（５２１）に連結されている前記緩衝パッドを備える。ポケット（３５０）を備えた洗浄基材（５０）は、前記緩衝パッドに取り付けられている。
2008522771.tif 000002
【特許請求の範囲】
【請求項１】
洗浄基材を保持するための緩衝パッド、
前記緩衝パッドを前記モータに対して往復運動で移動させるためのモータであって、前記緩衝パッドに作動可能な状態で連結されているモータ、及び
前記緩衝パッドの少なくとも一部に取り外し可能な状態で連結されている使い捨て洗浄基材を備える、表面を洗浄するためのモータ付き洗浄器具。
【請求項２】
前記モータを中に配置させるハウジングを更に備える、請求項１のモータ付き洗浄器具。
【請求項３】
前記ハウジングは、実質的に凸部形状の上部分を備える、請求項３のモータ付き洗浄器具。
【請求項４】
前記ハウジングは、実質的に前記緩衝パッドに隣接する凹部部分を有する、請求項３のモータ付き洗浄器具。
【請求項５】
前記洗浄基材はポケットを備え、前記緩衝パッドは、前記ポケットに挿入される先端部分を少なくとも１つ有する請求項１のモータ付き洗浄器具。
【請求項６】
前記ポケットに挿入される前記先端部分は先細になっている、請求項５のモータ付き洗浄器具。
【請求項７】
前記洗浄基材の少なくとも一部に係合するために、前記緩衝パッドは取り付け構造を少なくとも１つ備える、請求項１のモータ付き洗浄器具。
【請求項８】
前記取り付け構造は、前記緩衝パッドの先端部分に実質的に隣接している、請求項７のモータ付き洗浄器具。
【請求項９】
前記取り付け構造の上部空間は実質的に閉塞されていない、請求項８のモータ付き洗浄器具。
【請求項１０】
前記緩衝パッドは底面及び側面を備え、前記洗浄基材は前記底面及び前記側面の少なくとも一部を覆っている、請求項１のモータ付き洗浄器具。
【請求項１１】
前記緩衝パッドは約５Ｈｚ〜約５０Ｈｚの間の周波数で往復する、請求項１のモータ付き洗浄器具。
【請求項１２】
前記緩衝パッドは約１ｍｍ〜３０ｍｍの変位振幅で往復する、請求項１１のモータ付き洗浄器具。
【請求項１３】
前記緩衝パッドは、前記洗浄基材に係合するために第１及び第２の取り付け構造を備える、請求項１のモータ付き洗浄器具。
【請求項１４】
前記第１及び第２の取り付け構造は、前記先端部分に実質的に隣接している、請求項１３のモータ付き洗浄器具。
【請求項１５】
前記洗浄基材は、少なくとも１層の不織布材料を含む、請求項１のモータ付き洗浄器具。
【請求項１６】
前記洗浄基材は、洗浄組成物を含む、請求項１５のモータ付き洗浄器具。
【請求項１７】
前記緩衝パッドは、実質的に連続的な外側表面を有する、請求項１のモータ付き洗浄器具。
【請求項１８】
前記緩衝パッドは、タイプＡジュロ硬度が約６０未満である材料を含む、請求項１７のモータ付き洗浄器具。
【請求項１９】
前記緩衝パッドは、変形可能な先端部分を備えている、請求項１のモータ付き洗浄器具。
【請求項２０】
補強部材を更に備え、前記補強部材が前記変形可能な先端部分の少なくとも一部に連結されている、請求項１９のモータ付き洗浄器具。
【請求項２１】
洗浄基材を供給する工程、
前記緩衝パッドの少なくとも一部に前記洗浄基材を取り付ける工程、及び
洗浄する表面に前記洗浄基材を接触させる工程を備え、洗浄基材を保持するための緩衝パッドと前記緩衝パッドをモータに対して往復運動で移動させるための前記モータとを備えるモータ付き洗浄器具で表面を洗浄する方法。
【請求項２２】
洗浄する前記表面に前記洗浄基材を接触させる工程の前に、前記モータを作動させる工程を更に備える、請求項２１の方法。
【請求項２３】
洗浄する前記表面に前記洗浄基材を接触させる工程の後に、前記モータを作動させる工程を更に備える、請求項２１の方法。
【請求項２４】
前記洗浄基材は、少なくとも１層の不織布材料を含む、請求項２１の方法。
【発明の詳細な説明】
【技術分野】
【０００１】
本発明は、洗浄器具の分野に関するものであり、特に、床、流し、バスタブ、シャワー壁などの硬質表面の洗浄に有用な多目的洗浄器具の分野に関する。
【背景技術】
【０００２】
文献は、セラミックタイル床、硬木質床、カウンター上面などの、平らな硬質表面を洗浄可能な製品で満ちている。平らな表面の洗浄についての文脈中、特に洗浄基材で床を洗浄することについての文脈中には、自在継手により回転可能な状態でモップヘッドに連結させた細長いハンドルを備える数多くの器具が記述されている。そのような器具の一例としては、スイッファー（SWIFFER：登録商標）洗浄器具がある。これらの器具のモップヘッドには、典型的には、自在継手を介してハンドルに連結させた剛性の支持プレートと、剛性支持プレートの下に配置して洗浄させる表面に向く「緩衝」又は「クッション」パッドを備える。「緩衝」パッドは、平らな表面が洗浄作業中に傷つくという危険性を最小限にする。平らな表面を洗浄するためには、ユ−ザーはまず、使い捨てドライ洗浄シート（例えば、スイッファー（SWIFFER：登録商標）洗浄シート）又は使い捨て吸収性洗浄拭取り布若しくはパッド（例えば、スイッファーウェット（SWIFFER WET：登録商標）ウェットタイプ洗浄パッド）などの洗浄基材を、洗浄基材を緩衝パッドと洗浄する表面の間に「挟む」ように支持プレートの上面に配置させたスリット入り保持構造に取り付け、次いで、選択した洗浄基材で平らな表面を拭き取る。使い捨て洗浄基材と組み合わせて使用するこのタイプの器具は、使用が簡便であり、特に、ユーザーの手と洗浄基材との接触が制限されて、平らな表面を洗浄した後は基材を処分するため、衛生的であることが示されている。それにもかかわらず、このタイプの器具の剛性支持プレートでは、曲面状表面、特に内向きに曲がった凹面をユーザーが有効に又は効率的に洗浄することができない。
【０００３】
文献には、流し、バスタブなどの曲面状表面を洗浄できる製品も満ちている。これらの製品のいくつかは、洗浄表面上に直接振り掛け、次に水ですすぎ流す洗浄溶液を含む。これによりユーザーに要求される労力は最小限になるが、これらは一般に、洗浄基材を洗浄表面に押し付けて拭き取る時と同じような洗浄効果を提供しない。洗浄性能を強めるために、幾つかの洗浄製品は、洗浄製品と組み合わせて用いられる洗浄基材を含む。これらで最も一般的なものは、スポンジである。曲面状表面を洗浄するために、ユーザーは通常、スポンジを自分の手に持って、洗浄溶液をスポンジに塗り付ける又は洗浄表面上に直接塗り付けて、前記表面を拭き取る。表面を洗浄したら、ユーザーは通常、スポンジを再使用できるように、スポンジをすすいで乾燥させる。（天然又は合成いずれかの）スポンジ材料は可撓性であり、結果として、洗浄表面に容易に順応する。しかしながら、このタイプの再使用可能な基材は、時間の経過と共に非衛生的になり、また、使用する洗浄溶液の「攻撃性」によっては、ユーザーが自分の手を保護するために手袋を着用することが必要になる。
【発明の開示】
【発明が解決しようとする課題】
【０００４】
したがって、平ら又は曲面状両方の表面を便利及び衛生的な方法によって洗浄するために、使い捨て洗浄基材と共に使用できる洗浄器具を提供することが、本発明の１つの目的である。
【０００５】
平ら及び／又は曲面状両方の表面を利便的及び衛生的な方法により最小限の労力で洗浄するために、使い捨て洗浄基材と共に使用できるモータ付き洗浄器具を提供することも、本発明の１つの目的である。
【課題を解決するための手段】
【０００６】
１つの実施形態において、本発明は、表面を洗浄するためのモータ付き洗浄器具に関するものでもあり、前記洗浄器具には、洗浄基材を保持するための緩衝パッド、前記モータによって緩衝パッドを前記モータに対して往復運動で移動させるために前記緩衝パッドに作動可能な状態で連結されているモータ、及び前記緩衝パッドの少なくとも一部に取り外し可能な状態で連結されている使い捨て洗浄基材を備える。
【０００７】
１つの実施形態において、本発明は、洗浄基材を保持するための緩衝パッドと、前記モータによって前記緩衝パッドを前記モータに対して往復運動で移動させるためのモータとを備えるモータ付き洗浄器具で表面を洗浄する方法に関するものでもあり、前記方法は、洗浄基材を供給する工程、前記緩衝パッドの少なくとも一部に前記洗浄基材を取り付ける工程、及び洗浄する表面に前記洗浄基材を接触させる工程から構成されている。
【好適な実施形態の詳細説明】
【０００８】
本明細書の洗浄器具及び基材の有用性を制限することを意図するものではないが、その用途の簡単な説明が、本発明を説明するのに役立つと考えられる。
【０００９】
最新の洗浄器具では、洗浄器具のヘッドに分離可能な状態で取り付けて、汚れた後に簡便に廃棄及び交換できるシート又は吸収性パッドなどの使い捨て洗浄基材が用いられている。これらの洗浄器具には、モップヘッドに回転可能な状態で連結させたハンドルを備える。これらのモップヘッドは、実質的に方形であり、並びにハンドルに連結されている剛性の支持プレートと、モップヘッドの底面に取り付けられている「緩衝」パッドを備える。可撓性材料で作製させたこの緩衝パッドが、洗浄作業中に表面を傷つけるという危険性を最小限にする。洗浄基材は、モップヘッドの周りに巻き付け、支持プレートの頂部に配置したスリット入り構造に取り付ける。このような「最新型」洗浄器具の一例としては、プロクターアンドギャンブル社（The Procter & Gamble Company）により販売され及び図１に示されているスイッファー（SWIFFER：登録商標）洗浄器具がある。このタイプの器具は特に、床、壁、又は天井などの大きな平面状表面を洗浄するのに適用される。しかしながら、モップヘッドの大きさ、形状、並びに剛性によって、ユーザーは、流し若しくはバスタブなどの他のタイプの表面、又は壁と便座の間の床などの「狭い」表面を洗浄することができない。
【００１０】
曲面状及び／又は狭い表面を洗浄するために、ユーザーは、表面の拭取り無しに洗浄溶液を表面上に直接振り掛けることができる。しかしながら、表面を洗浄基材で拭き取る場合に、より良い洗浄結果が得られる。ユーザーは、洗浄基材上か又は表面上に洗浄溶液を振り掛けて、次にこの洗浄基材で表面を拭き取ることができる。最も一般的な洗浄基材は、吸収性スポンジであり、これは変形可能であって、結果として曲面状表面に順応する。しかしながら、これらの従来型スポンジは、洗浄溶液及び／又はスポンジに吸収された汚れとの接触を避けるために、ユーザーがプラスチック手袋を着用することを必要とする。強固な染みを除去するためにユーザーに必要とされる労力が、洗浄業務を困難及び不便なものにしている。加えて、これらのスポンジは再使用可能であるように意図されているので、繰り返し使用の後では、スポンジそのものが汚れて、不衛生又は目障りなものになる。
【００１１】
後に続く詳細な開示から明らかなように、本発明は前記考察を対象としている。
【００１２】
本明細書で引用したすべての文献は、関連部分において本明細書に参考として組み込まれているが、いかなる文献の引用も、それが本発明に関する先行技術であることの容認として解釈すべきでない。
【００１３】
本明細書全体を通じて記載されているあらゆる最大数値限定には、それより小さいあらゆる数値限定が、そのようなより小さい数値限定が本明細書に明確に記載されているかのように含まれると理解すべきである。本明細書全体を通じて記載されている最小数値限定には、それより大きいあらゆる数値限定が、そのような大きい数値限定が本明細書に明確に記載されているかのように含まれる。本明細書全体を通じて記載されている数値範囲には、そのようなより広い数値範囲内に入るそれよりも狭いあらゆる数値範囲が、そのようなより狭い数値範囲が全て本明細書に明確に記載されているかのように含まれる。
【００１４】
本明細書の明細、実施例、及び請求の範囲におけるすべての割合、比率、及び百分率は、別段の指定がない限り、重量に基くものであり、すべての数値限定は、別段の指定のない限り、当該技術分野において許容可能な通常の程度の精度で使用する。
【００１５】
以降で更に完全に説明するように、本発明は、その最も好ましい形態において、少なくとも部分的に変形可能なモップヘッドと、洗浄作業中にモップヘッド周辺に取り付け可能な使い捨て洗浄基材を備える洗浄器具を対象としている。
【００１６】
Ｉ．モータ無し洗浄器具
図２を参照すると、本発明に従って作製されたモータ無し洗浄器具１０が示される。
【００１７】
１つの実施形態では、洗浄器具１０には、モップヘッド２０と、第１の回転軸線Ａ−Ａ及び第２の回転軸線Ｂ−Ｂを備えた自在継手４０により回転可能な状態でモップヘッド２０に連結させたハンドル３０を備える。「細長いハンドル」により、その長さが少なくとも約５ｃｍ、好ましくは少なくとも約２０ｃｍ、より好ましくは少なくとも約６０ｃｍ、さらにより好ましくは少なくとも約１１５ｃｍであるハンドルを意味する。
【００１８】
図３には、モップヘッド２０と、自在継手４０と、ハンドル３０の下部分の拡大図を示してある。
【００１９】
１つの実施形態では、モップヘッド２０には、相互連結部材２２０に連結させた「緩衝」パッド１２０を備える。相互連結部材２２０は、当技術分野で既知のいかなる方法によっても、緩衝パッド１２０に取り付け可能である。好ましい実施形態では、相互連結部材２２０は、接着的に緩衝パッド１２０に取り付けられている。相互連結部材２２０は、ベース部分１２２０と、自在継手４０を相互連結部材２２０に対して旋回可能な状態で連結するための突出部２２２０及び３２２０を少なくとも１つ、しかし好ましくは２つ備える。好ましい実施形態では、緩衝パッド１２０は実質的に変形可能であり、及びベース部分は実質的に剛性である。
【００２０】
「実質的に変形可能」は、緩衝パッドの側部を図４に示したように壁に対して押し付けた時に、緩衝パッド１２０がＸ−Ｙ平面（すなわち、水平面）内で変形するか又は「潰れる」かのいずれかであり、あるいは、緩衝パッドを曲面状平面に対して押し付けた時に、緩衝パッド１２０がＺ方向に変形して、緩衝パッドの少なくとも一部が図５に示したようにに上向きに曲がるようになっていることを意味する。好ましい実施形態では、緩衝パッドは、Ｘ−Ｙ平面及びＺ方向の両方に変形可能である。特に、変形可能な緩衝パッドは、流し又はバスタブなどの曲面状表面に順応する機能、及び／又は壁と便座の間などの２つの硬い表面間に押し込まれる機能が備える。したがって、そのような変形可能な緩衝パッド付きの洗浄器具を使い捨て洗浄基材と組み合わせて使用し、バスルームにある様々な硬質表面を洗浄することができる。
【００２１】
１つの実施形態では、モップヘッドの剛性対変形性の比は、少なくとも約０．１、好ましくは少なくとも約０．１５、より好ましくは少なくとも約０．２、更により好ましくは少なくとも約０．２５、最も好ましくは少なくとも約０．３である。１つの実施形態では、モップヘッドの剛性対変形性の比は、約０．７５未満、好ましくは約０．７未満、より好ましくは約０．６５未満、更により好ましくは約０．６未満、最も好ましくは少なくとも約０．５５である。
【００２２】
いかなる理論にも制限されるものではないが、剛性対変形性の比は、洗浄する表面にモップヘッドが順応する機能の有効な目安を提供すると考えられている。
【００２３】
モップヘッドの剛性対変形性の比は、Ｘ−Ｙ平面に投影されたベース部分１２２０（これは実質的に剛性の材料で作製されており、緩衝パッドに接触する）の底面の総面積を、Ｘ−Ｙ平面に投影された変形可能な緩衝パッドの底面の総面積で除すことにより、算出できる。ユーザーがハンドル３０及び／又は自在継手４０に加える力はベース部分を介して緩衝パッドに伝わるので、剛性対変形性の比が低すぎる（すなわち約０．０５未満の）場合、この力が均一にかかるよりも緩衝パッドの比較的小さな面積の上にかかることを当業者は理解するであろう。そのように低い剛性対変形性の比は、モップヘッドの操作性を低下させて、モップヘッドの方向を制御するユーザーの能力を制限し、緩衝パッドが損傷するという結果になる場合もあり、緩衝パッドに取り付けた洗浄基材と組み合わせて使用する器具の全体的な洗浄有効性を低下させる。剛性対変形性の比が高すぎる（すなわち約０．７５超過の）場合には、緩衝パッドのＸ−Ｙ平面内並びにＺ方向に変形する機能が、緩衝パッドに接触しているベース部分の剛性により制限されることも当業者は理解するであろう。
【００２４】
好ましい実施形態において、Ｘ−Ｙ平面に投影されたベース部分１２２０の底面の総面積は、約１ｃｍ2〜約１００ｃｍ2の間、好ましくは約２ｃｍ2〜約５０ｃｍ2の間、より好ましくは約４ｃｍ2〜約３０ｃｍ2の間である。ベース部分１２２０は、いかなる好適な幾何学的形状をも有することができる。ベース部分は、複数のベース部分になるように区分けすることができ、それでも同一効果を提供可能であることを当業者は理解するであろう。
【００２５】
好ましい実施形態において、Ｘ−Ｙ平面に投影された変形可能な緩衝パッドの底面の総面積は、約２ｃｍ2〜約５００ｃｍ2の間、好ましくは約４ｃｍ2〜約４００ｃｍ2の間、より好ましくは約６ｃｍ2〜約３００ｃｍ2の間である。
【００２６】
１つの実施形態において、相互連結部材２２０は、長手方向軸線Ｌ−Ｌに沿って緩衝パッド１２０に取り付けられている。好ましい実施形態では、緩衝パッド１２０の長手方向軸線Ｌ−Ｌに沿って測定される相互連結部材２２０の長さは、長手方向軸線Ｌ−Ｌに沿って測定される緩衝パッドの長さの少なくとも約２０％、好ましくは約２０％〜約８５％の間、より好ましくは約３５％〜約７５％の間である。１つの実施形態では、緩衝パッド１２０の長手方向軸線Ｌ−Ｌに対して垂直な線に沿って測定される相互連結部材２２０の幅は、長手方向軸線Ｌ−Ｌに対して垂直な線に沿って測定される緩衝パッドの幅の約１０％〜約６０％の間、好ましくは１５％〜約５０％の間、より好ましくは約２０％〜約４０％の間である。
【００２７】
１つの実施形態では、緩衝パッドは、タイプＡジュロ硬度が少なくとも約５、好ましくは少なくとも約７、より好ましくは少なくとも約１０を有する変形可能な材料で作製されている。１つの実施形態では、緩衝パッドは、タイプＡデュロメータ硬度計で測定した場合、タイプＡジュロ硬度が約６０未満、及びより好ましくは約４０未満を有する変形可能な材料で作製されている。硬度、つまりジュロ硬度は、カリフォルニア州ロサンゼルスのパシフィックトランスデューサ社（Pacific Transducer Corp）製であり、ＡＳＴＭ Ｄ２２４０に適合するモデル４０８タイプＡデュロメータを使用して測定できる。「低硬度」の緩衝パッドを、浴槽又はシャーワ室の曲面だけではなく、浴室のタイル間のグラウトラインなどの表面にある凹凸及び溝にも順応させることができる。その一方で、タイプＡジュロ硬度が約６０超の従来の熱可塑性樹脂又は固い発泡体で作製されている緩衝パッドは、タイル間のグラウトラインなど細かい形状には容易に順応しない傾向にある。タイプＡジュロ硬度が約５未満の緩衝パッドは、典型的には非常に脆弱であり、効果的に表面を洗浄するために必要な剛性を備えていない。タイプＡジュロ硬度が約６０未満、しかし約５超の種の緩衝パッドは非常に順応性があり、補強部材（下記参照）と組み合わせて使用し、緩衝パッドの形状が失われるのを防ぎ、使用中及び激しい摩擦時にハウジングの下縁に接触しないようにする。
【００２８】
１つの実施形態では、緩衝パッドの厚さ（すなわちＺ方向）は、少なくとも約２ｍｍ、好ましくは少なくとも約５ｍｍ、より好ましくは少なくとも約１０ｍｍ、更により好ましくは少なくとも約１５ｍｍである。１つの実施形態では、緩衝パッドの厚さ（すなわちＺ方向）は、約１００ｍｍ未満、好ましくは約８０ｍｍ未満、より好ましくは約５０ｍｍ未満である。所与の硬さすなわちジュロ硬度の場合、材料が変形する能力はその厚さに反比例することを当業者は理解されるであろう。言い換えれば、変形可能な材料で作製されている比較的薄い緩衝パッドは、同一材料で作製されているより厚い緩衝パッドよりも変形する傾向がある。
【００２９】
１つの実施形態では、緩衝パッド１２０は、緩衝パッドの変形を容易にするための「脆弱部」を備える。「緩衝パッドの変形を容易にするための脆弱部」は、緩衝パッドのＸ−Ｙ平面内及び／又はＺ方向の変形能力を増大するために緩衝パッド材料に作製又はその中に形成されたいかなる変質をも意味する。そのような「脆弱部」の非限定的な例には、緩衝パッドの一部に作製されているスリット、緩衝パッドの全厚さを貫いて作製されているスリット、緩衝パッドの中に作り出された気泡又は空隙（voids）、緩衝パッドの上面及び／又は底面に作製された空洞（cavities）、緩衝パッドの全厚さを貫いて延びる穴又は開口部、及びこれらのいずれかの組み合わせが含まれる。１つの実施形態では、これらの脆弱部は、パッドが均一に変形する能力を増大するために、緩衝パッド上に均一に配置されている。図６Ａに示す好ましい実施形態では、これらの脆弱部は、緩衝パッド１２０の外側縁部とベース部分１２２０の長手方向側縁部との間に位置する緩衝パッド１２０の部分に「集中」している。脆弱部の位置、数、及び／又は大きさによって、緩衝パッドの特定の部分が圧力又は拘束下で変形する能力を増大できることを当業者は理解するであろう。
【００３０】
好ましい実施形態では、緩衝パッド１２０は、緩衝パッドの全厚さを貫いて作製又は形成された穴又は開口部１１２０である脆弱部が少なくとも１つ、しかし好ましくは複数備える。特に、これらの穴１１２０により、緩衝パッド１２０のＸ−Ｙ平面内及びＺ方向の変形が促進される。１つの実施形態では、緩衝パッド１２０には、１〜５０個の間の穴、好ましくは２〜３０個の間の穴、より好ましくは６〜２０個の間の穴を備える。穴又は開口部１１２０は、円形、方形、三角形、楕円形、長手方向、緩衝パッドの中心に対して内向き又は外向きに曲線状など当技術分野で既知のいかなる幾何形状をも有することができるにもかかわらず同一効果を提供可能である。図６Ｂには、内向きに曲線状の４つの長手方向開口部１１２５を備えた緩衝パッド１２０の例を示してある。穴又は開口部１１２０は、緩衝パッドが変形する機能を増大させるのに加えて、緩衝パッドを水流ですすぐ時に、緩衝パッドを通して液体を排出させることも助ける。
【００３１】
好ましい実施形態では、緩衝パッド１２０は、実質的に非吸収性の材料で作製されている。「実質的に非吸収性の材料」は、緩衝パッドを過度に変形又は絞ることなく完全水浸漬５分間後に、元々乾燥した緩衝パッドに吸収された水の重量が、乾燥緩衝パッドの重量の約５０％未満、好ましくは約３０％未満、より好ましくは約２０％未満、更により好ましくは約１０％未満、最も好ましくは乾燥緩衝パッドの重量の約２％未満であることを意味する。特に、洗浄器具は使い捨て洗浄基材と共に使用するので、洗浄表面から除去された汚れの大半は、使い捨て基材の中に捕捉される。結果として、汚れ溶液の残留量だけが、洗浄作業の後の非吸収性緩衝パッドに残り、この残留量は、水で容易に洗い落とすことができる。その結果、洗浄器具は、従来型スポンジとは対照的に、衛生的／清潔な表面洗浄方法を提供する。
【００３２】
緩衝パッド１２０は、いかなる好適な幾何形状をも有することができる。図６に示す１つの実施形態では、緩衝パッド１２０は楕円形状を有している。好ましい実施形態では、緩衝パッド１２０は、中央部分から２つの先端２１２０及び３１２０に向かって徐々に先細になっており、実質的に「眼」形状又は先の鋭い形状を有する。
【００３３】
明瞭化するためにハンドル及び自在継手の上側部材を除いて図７に示した１つの実施形態では、先端２１２０を形成する緩衝パッドの２つの縁は、約１０度〜約１５０度の間、好ましくは約４０度〜約１２０度の間、より好ましくは約６０度〜約１００度の間の角度αを形成している。１つの実施形態では、先端３１２０を形成する緩衝パッドの２つの縁は、約１０度〜約１５０度の間、好ましくは約４０度〜約１２０度の間、より好ましくは約６０度〜約１００度の間の角度βを形成している。１つの実施形態では、角度αと角度βは異なっている。好ましい実施形態では、角度αは角度βに等しい。特に、先端２１２０及び３１２０のそれぞれにより、ユーザーが洗浄基材を隅部内で操ることができるようになり、モップヘッド２０に取り付けた洗浄基材と緩衝パッド１２０で部屋の隅部の表面を洗浄することが可能になる。加えて、先端２１２０又は３１２０のいずれかにより、先端のいずれか１つを縦表面の間に徐々に挿入する時、縦表面の中間、例えば壁と便座の中間に位置する狭い表面にモップヘッドが到達して、洗浄することが可能になる。縦表面を隔てる距離が緩衝パッドの幅より狭い場合、緩衝パッドのＸ−Ｙ平面内での変形する又は「潰れる」機能により、モップヘッドを更に遠くへ押すことができ、その結果、この狭い床面の更に多くが洗浄可能になることも理解できる。
【００３４】
１つの実施形態では、緩衝パッドの厚さは一定である。
【００３５】
図８Ａに示した１つの実施形態では、緩衝パッド１２０の厚さは、Ｘ−Ｙ平面内で変化、好ましくはＹ方向に沿って変化している。好ましい実施形態では、緩衝パッド１２０の底面は実質的に平らであって、その厚さが、緩衝パッドの中央部分から先端２１２０及び３１２０の少なくとも片方、しかし好ましくは両方に向かって増加している。好ましい実施形態では、緩衝パッド１２０の厚さは、パッドの相互連結部材２２０に隣接する部分では一定であり、次に突出部分２２２０及び３２２０の縁から先端２１２０及び３１２０に向かって増加している。その結果、緩衝パッドの上面は、パッドの先端２１２０及び３１２０に隣接する部分で曲線状になっている。別の実施形態では、緩衝パッド１２０の上面を実質的に平らにすることができて、パッドの先端２１２０及び３１２０に隣接する部分で緩衝パッドの底面を曲線状にすることができる。
【００３６】
図８Ｂに示した更に別の実施形態では、先端２１２０及び３１２０に隣接するパッドの部分で、緩衝パッド１２０の上と底の両面を曲線状にすることができる。いかなる理論にも制限されるものではないが、曲面状底面を有する緩衝パッドに洗浄基材を取り付けて、モップヘッドを洗浄表面に適用する時、圧力下で変形する緩衝パッドの機能により、洗浄基材には張力が加わっていると考えられる。その結果、洗浄基材は、緩衝パッド上にしっかり保持される。
【００３７】
加えて、緩衝パッドの厚さによって、その変形機能に影響を及ぼすことができる。その結果、徐々に厚さが増加又は減少する緩衝パッドを提供することにより、緩衝パッド上に剛性が増加した（すなわち、変形性が減少した）領域を作り出すことが可能である。特に、先端１１２０及び２１２０に向かって厚さが増加する緩衝パッドにより、以降で説明するように、モップヘッドの強固な染みを除去する機能が向上する。
【００３８】
図９に示した１つの実施形態では、ベース部分１２２０は、自在継手４０の回転軸線の少なくとも１つが先端２１２０と３１２０を結ぶ線Ｌ−Ｌに実質的に平行であるように、緩衝パッド１２０に連結されている。１つの実施形態では、自在継手４０は、回転軸線Ａ−Ａ周りで回転可能な状態でベース部分１２２０の突出部分２２２０及び３２２０に連結されている下側部材１４０を備える。自在継手４０にまた、回転軸線Ｂ−Ｂ周りで回転可能に下側部材１４０に連結されている上側部材２４０が備える。好ましい実施形態では、ハンドル３０の遠位端部が、上側部材２４０に分離可能な状態で連結されている。
【００３９】
１つの実施形態では、下側部材１４０は、ユーザーが片手で保持可能な取っ手を形成している。特に、この実施形態によって、ユーザーは、細長いハンドル３０と組み合わせのモップヘッド２０を使用することにより、（床、バスタブなどの）大きな表面又は（壁などの）到達するのが難しい表面を洗浄することができ、また、細長いハンドル３０無しで、取っ手を片手で簡単に保持して表面を拭き取ることにより、（鏡などの）より小さな表面又は（流しなどの）容易に到達することができる表面を洗浄することができる。
【００４０】
更に好ましい実施形態では、ベース部分１２２０は、下側部材１４０の回転軸線Ａ−Ａが先端２１２０と３１２０を結ぶ線Ｌ−Ｌに実質的に平行であるように、緩衝パッド１２０に連結されている。特に、この実施形態によって、取っ手を片手で保持しているユーザーは、図１０に示したように、緩衝パッドの先端に隣接する領域だけが洗浄表面に接触するように緩衝パッド１２０を曲げることにより、ユーザーが取っ手に付加した力を先端２１２０又は３１２０の１つに隣接する領域に「集中」させることができる。先端に向かって力を集中させると、洗浄基材と染みの間の摩擦力を増加させることによって、強固な染みを除去する助けになることを当業者は理解するであろう。
【００４１】
図１０及び１１に示した好ましい実施形態では、ユーザーは、突出部分２２２０又は３２２０の１つが上側部材２４０の脚部分１２４０及び２２４０の中間に位置するまで上側部材２４０を回転させることにより、下側部材１４０を一時的に固定（すなわち、下側部材１４０の回転軸線Ａ−Ａ周りの回転を阻止）することができる。特に、この実施形態は、ユーザーが取っ手を片手で保持している間に、モップヘッドが傾く又は回転することを防止する。
【００４２】
更に好ましい実施形態では、ユーザーが、上側部材２４０を突出部分の１つに対抗して強制又は押すことにより、自在継手４０を一時的に固定（すなわち、下側部材１４０及び上側部材２４０両方の回転を阻止）できるように、少なくとも１つ、しかし好ましくは両方の突出部分２２２０及び／又は３２２０の長さが、上側部材２４０の第１と第２の脚部分１２４０と２２４０の間の内側距離より僅かに長くなっている。特に、この実施形態は、ユーザーの指が上側部材２４０の「経路」の中にある間に上側部材２４０が回転することを防止して、ユーザーが指を誤って挟むという危険性を最小限にする。このように固定可能な自在継手の好ましい例は、同時係属中の米国特許出願シリアル番号６０／４９９，８５２（ジェームス（James）ら、２００３年９月３日出願）及び同時係属中の米国特許出願シリアル番号６０／５６２，０００（ジェイムス（James）ら、２００４年４月１３日出願、両特許ともプロクターアンドギャンブル社（The Procter & Gamble Company）に譲渡）に記載されている。
【００４３】
前述のように、洗浄器具１０は、モップヘッド２０に分離可能な状態で取り付けた使い捨て洗浄基材と共に使用する。
【００４４】
１つの実施形態では、モップヘッド２０は、洗浄作業中に使い捨て洗浄基材をモップヘッド２０の周りに係合及び保持するために、少なくとも１つの保持部材を備える。好適な保持部材の非限定的な例としては、変形可能な取り付け構造、フック・オア・ループ・ファスナー、クランプ具、突出部、クリップ、接着剤、又はこれらのいずれかの組み合わせなどが挙げられる。
【００４５】
図１２に示した好ましい実施形態では、モップヘッド２０は、使い捨て洗浄基材５０を係合及び保持するために、少なくとも１つ、しかし好ましくは２つの取り付け構造３２０及び３２５を備える。取り付け構造３２０は、中空空間の上に配置した比較的薄くて（すなわち、厚さが２ｍｍ未満）変形可能なプラスチックの層を含む。このプラスチックの層は、プラスチックで作製されており、少なくとも１つ、しかし好ましくは複数個の三角形、又は頂点を有するパイ形状部分を形成する交差スリットを含む。このパイ形状部分は屈曲可能なので、ユーザーは、標準的な指圧を洗浄基材の少なくとも一部に加えて、パイ形状部分の頂点を押し出すことができる。ユーザーが自分の指を抜き出す時、パイ形状部分は次にその元の形状に戻ることができるので、頂点の少なくとも１つが洗浄基材に係合し（更に好ましくは突き刺し）、これにより洗浄基材がモップヘッドの周りに保持される。好適な取り付け構造は、米国特許第６，３０５，０４６号（キングリー（Kingry）ら、２００１年１０月２３日発行、プロクターアンドギャンブル（The Procter & Gamble Company）に譲渡）に更に詳細に開示されている。
【００４６】
１つの実施形態では、モップヘッド２０は、ベース部分１２２０内に形成された少なくとも１つ、しかし好ましくは２つの取り付け構造を備える。好ましい実施形態では、モップヘッドは、図１２に示したように変形可能な緩衝パッド１２０に連結されている取り付け構造３２０及び３２５を少なくとも１つ、しかし好ましくは２つ備える。１つの実施形態では、取り付け構造３２０及び／又は３２５は、緩衝パッド１２０の上面に隣接している。好ましい実施形態では、取り付け構造３２０及び／又は３２５は、緩衝パッドの長手方向軸線Ｌ−Ｌ上に配置されている。図１２に示した１つの実施形態では、取り付け構造３２０（又は他のあらゆる種類の保持部材）の幾何中心Ｃａと先端２１２０の間の長手方向軸線Ｌ−Ｌに沿って測定される距離ｄは、緩衝パッドの中心Ｃｂと先端２１２０の間の長手方向軸線Ｌ−Ｌに沿って測定される距離Ｄの約８０％未満、好ましくは約６０％未満、より好ましくは５０％未満、更により好ましくは約４０％未満である。特に、取り付け構造３２０及び／又は３２５が長手方向軸線Ｌ−Ｌ上に位置することによって、ユーザーは、洗浄基材５０の２つの部分１５０及び２５０を緩衝パッド１２０の上で折り畳む及び／又は包むことにより、図１３に示したように、２つの部分１５０及び２５０を単一の取り付け構造に取り付けることができる。２つの部分１５０及び２５０はそれぞれ、洗浄基材の長手方向軸線に対して対称に位置し、洗浄基材の対向する半分上にある。加えて、長手方向軸線Ｌ−Ｌ上に配置された取り付け構造３２０及び／又は３２５は、図４及び５で先に示したように緩衝パッドの側のＸ−Ｙ平面内及び／又はＺ方向の変形性に影響を及ぼさない。好ましい実施形態では、取り付け構造３２０及び／又は３２５は、先端２１２０及び／又は３１２０に実質的に隣接している。「先端に隣接」は、取り付け構造３２０（又は他のあらゆる種類の保持部材）の幾何中心Ｃａと先端２１２０の間の長手方向軸線Ｌ−Ｌに沿って測定される距離ｄが、緩衝パッドの中心Ｃｂと先端２１２０の間の長手方向軸線Ｌ−Ｌに沿って測定される距離Ｄの約３５％未満、好ましくは約５％〜約３０％の間、より好ましくは約１０％〜約２５％の間であることを意味する。取り付け構造３２０のモップヘッド２０上の位置は、図１３に示したように緩衝パッド１２０に取り付けられている実質的に方形の洗浄基材の最小寸法（すなわち長さ及び幅）、及び特に幅に直接的な影響を及ぼしていることが分かる。特に、先端２１２０及び／又は３１２０に隣接して配置されている取り付け構造３２０及び／又は３２５によって、取り付け構造により保持されている使い捨て洗浄基材に干渉することなく、ハンドル３０がいかなる方向にも回転可能である。加えて、洗浄器具が実質的に方形の洗浄基材と共に使用する時、取り付け構造３２０及び／又は３２５を先端１１２０及び／又は２１２０から可能な限り近くに置くことにより、洗浄基材の対向する部分又は隅部が取り付け構造に到達可能であるので、洗浄基材の幅を最小限にすることができる。その結果、洗浄基材を作製するのにより少ない材料しか必要とせず、基材の製造コストが減少する。加えて、使い捨て洗浄基材が図１３に示したようにモップヘッドに取り付けられている時、器具の底面及び側面両方が洗浄に使用可能であるように、洗浄基材が緩衝パッドの側を覆う。
【００４７】
先の説明のように、方形状と緩衝パッド上に位置する２つの保持部材を備えた緩衝パッドは、実質的により広い洗浄基材と共に使用することも可能であるが、この洗浄基材が自在継手及び／又はハンドルに干渉する場合もあることを当業者は理解するであろう。洗浄基材が自在継手に干渉するのを防止するために、洗浄基材には、緩衝パッド上に取り付けられている洗浄基材からのいかなる干渉も無しに自在継手及び／又はハンドルが自由に回転するように洗浄基材上に作製されたスリット又はノッチ又は切り抜き部分を少なくとも１つ、しかし好ましくは２つ搭載することができる。
【００４８】
１つの実施形態では、緩衝パッド１２０の外側表面は、好ましくは実質的に連続的であり、緩衝パッドは、好ましくは変形可能であると共に非吸収性の材料で作製されている。「実質的に連続な外側表面」は、例えば複数の毛を備え、それらが共に不連続表面を形成するブラシの外側表面とは対照的に、緩衝パッドの外側表面が均一であり、及び／又は妨げの無いことを意味する。１つの実施形態では、緩衝パッドの外側表面は、非平坦化され、及び／又は緩衝パッド上に形成されている三次元パターンを有することができる。好適な変形可能で非吸収性の材料の非限定的な例としては、エチレンビニルアセテート、サントプレン（SANTOPRENE：登録商標）、ネオプレン、クレイトン、天然ゴム、ポリエチレン、ポリプロピレンゴム、ポリウレタン、合成発泡体、又はいずれか他の好適な材料などが挙げられる。
【００４９】
１つの実施形態では、緩衝パッド１２０の外側表面は、先の説明のように実質的に連続的にすることができるが、変形可能な緩衝パッドに取り付けた毛６０を搭載することもできる。好ましい実施形態では、図１４に示したように、緩衝パッドの底面及び／又は緩衝パッドの側面には、毛６０を取り付けることができる。毛６０は、表面を擦るのに有用であり得るが、使い捨ての不織布洗浄基材を保持することもできる。
【００５０】
前述のように、相互連結部材２２０及び自在継手４０は、好ましくは実質的に剛性の材料で作製させる。実質的に剛性の材料の非限定的な例としては、木材、金属、セラミック、ガラス、プラスチック例えばポリプロピレン、ポリエチレンテレフタレート、アクリロニトリルブタジエン−スチレン、ナイロン、アセチル（いかなるアセタールホモポリマー又はコポリマー樹脂）ポリスチレンなど、及びこれらのいずれかの組み合わせが挙げられる。
【００５１】
好ましい実施形態では、緩衝パッド１２０は、相互連結部材２２０に固定して連結されている。緩衝パッドは、当技術分野で既知のいかなる方法によっても固定して取り付け可能である。好ましい実施形態では、緩衝パッド１２０は、合成した水性、ホットメルト、又は溶媒系などの接着剤で、相互連結部材２２０に接着的に取り付けられている。
【００５２】
前述のように、取り付け構造３２０及び／又は３２５は、好ましくは実質的に可撓性の材料で作製させる。実質的に可撓性の材料の非限定的な例としては、低密度ポリエチレン又は線状低密度ポリエチレンなどが挙げられる。好ましい実施形態では、取り付け構造３２０及び／又は３２５は、緩衝パッド１２０に固定して連結されている。好ましい実施形態では、取り付け構造３２０は、緩衝パッドにその外側表面を接着して連結させた周辺リム又はリングの内側表面に接着して連結されている。
【００５３】
前述のように、洗浄器具１０は、細長いハンドル３０を備える。ハンドル３０は、当技術分野で既知のいかなるハンドルにもすることができ、一体式、分割式、繰出し式、又は折畳み式ハンドルであることができる。
【００５４】
記述の洗浄器具は、好ましくは使い捨て洗浄基材と共に使用する。しかしながら、これらの器具は、スポンジ又は他のいかなる吸収性材料など再使用可能な基材材料と共に都合よく使用できることを当業者は理解するであろう。好適な使い捨て洗浄基材の非限定的な例としては、洗浄する表面から粒子状物質（ちり、パンくず、毛髪、綿くず、アレルゲンなど）を除去するために使用される「ドライ洗浄シート」、洗浄溶液を散布し表面を拭取り布又はパッドで拭き取って汚れた溶液を除去することによる、表面の湿式洗浄のために使用される「ドライ吸収性洗浄拭取り布又はパッド」、又は洗浄組成物を予め含浸した「ウェットタイプの洗浄拭取り布若しくはパッド」が挙げられる。使い捨て洗浄基材には、単一層又は複数層の基材材料を含めることができる。使い捨て洗浄基材は、好ましくは、不織布材料で作製される。
【００５５】
ＩＩ．モータ付き洗浄器具
図１５及び１６を参照すると、本発明の１つの実施形態に従って作製したモータ付き洗浄器具１１が概略的に示されている。
【００５６】
１つの実施形態では、洗浄器具１１は、ヘッド２１と、ヘッド２１に連結されている、好ましくは継手４１により旋回可能な状態でモップヘッドに連結されているハンドル３１を備える。
【００５７】
１つの実施形態では、ヘッド２１は、摺動部材２２１に連結されている「緩衝」パッド１２１を備える。摺動部材２２１は、当技術分野で既知のいかなる方法によっても、固定して緩衝パッド１２１に取り付け可能である。好ましい実施形態では、摺動部材２２１は、接着的に緩衝パッド１２１に取り付けられている。
【００５８】
緩衝パッド１２１は、モータ無し洗浄器具の文脈中での前述のいかなる緩衝パッドであることことができる。
【００５９】
１つの実施形態では、ヘッド２１の剛性対変形性の比は、少なくとも約０．１、好ましくは少なくとも約０．１５、より好ましくは少なくとも約０．２、更により好ましくは少なくとも約０．２５、最も好ましくは少なくとも約０．３である。１つの実施形態では、モップヘッドの剛性対変形性の比は、約０．７５未満、好ましくは約０．７未満、より好ましくは約０．６５未満、更により好ましくは約０．６未満、最も好ましくは少なくとも約０．５５である。
【００６０】
モータ付きモップヘッドの剛性対変形性の比は、Ｘ−Ｙ平面に投影された摺動部剤２２１（これは実質的に剛性の材料で作製されており、緩衝パッド１２１に接触する）の底面の総面積を、Ｘ−Ｙ平面に投影された変形可能な緩衝パッド１２１の底面の総面積で除すことにより算出できる。摺動部材は、緩衝パッドに直接的又は間接的に連結できる。摺動部材は、緩衝パッドに連結されているベース部分を緩衝パッドに取り付けることによって、間接的に緩衝パッドに連結できる。摺動部材が、緩衝パッドに連結されているべース部分に連結されている場合、モータ付きモップヘッドの剛性対変形性の比は、Ｘ−Ｙ平面に投影されたベース部分（これは実質的に剛性の材料で作製されており、緩衝パッド１２１に接触する）の底面の総面積を、Ｘ−Ｙ平面に投影された変形可能な緩衝パッド１２１の底面の総面積で除すことにより算出できる。
【００６１】
１つの実施形態では、摺動部材２２１は、緩衝パッド１２１及び摺動部材２２１両方が軸線Ｃ−Ｃに沿って移動可能であるように、好ましくは第１及び第２の案内部材３２４、４２１に対してに摺動可能に移動可能であるように、第１及び第２の案内部材３２１及び４２１の中間に配置されている。１つの実施形態では、摺動部材２２１の両側に作製させた対応する溝１２２１及び２２２１に係合するために、及び摺動部材２２１両方が軸線Ｃ−Ｃに沿って移動可能であるように、少なくとも１つ、しかし好ましくは両方の案内部材に舌状物１３２１及び２３２１を備える。舌状物及び溝の位置は反対にすることができ、それでも同一効果を提供可能であることを当業者は理解するであろう。例えば円形、球状、線状のベアリング及び車輪など、舌状物及び溝以外の機構も使用でき、同様の効果を提供することも当業者は理解するであろう。舌状物と溝の間の摩擦を最小限にするために、好ましくは低摩擦材料を使用し、並びに舌部分と溝部分の間の接触を限定するために、舌状物及び溝の形状は、滑らか及び／又は丸い表面を採用して最適化させる。
【００６２】
１つの実施形態では、摺動及び／又は往復運動は、モップヘッドに連結されている電動モータ５２１によって摺動部材２２１に提供される。モータ５２１は、好ましくはハンドル３１内に配置されている（使い捨て又は充電式いずれかの）少なくとも１つの電池に電気接続させることができる。摺動部材は緩衝パッドに連結されているので、摺動及び／又は往復運動もまた緩衝パッドに伝わることを当業者は理解するであろう。
【００６３】
電動モータは、好ましくはハンドル３１上に配置されているスイッチ１３１を介して作動することができる。電動モータ５２１は、摺動部材２２１に作動可能な状態で連結されている回転シャフトを備える。好適なモータの非限定的な例としては、永久磁石型直流モータ（アクションモータ（Action Motor）製、１１２５．７ｒａｄ／ｓ（１０７５０ｒｐｍ）の６Ｖ作動特性と、無負荷及び８９．１０-3Ｎｍトルクにおいて０．３２Ａの引き込み電流及び最大トルクにおいて１４．５Ａの引き込み電流とを有し、ＡＡ使い捨て電池で使用可能）が挙げられる。好適なスイッチの非限定的な例としては、オン・オフスイッチ、瞬時スイッチ、ポテンショメーター、可変速スイッチ、及びこれらの組み合わせなどが挙げられる。
【００６４】
図１６に示した１つの実施形態では、モータ５２１の回転シャフトは、回転駆動体６２１により作動可能な状態で摺動部材２２１に連結されており、回転駆動体が、回転駆動体６２１の回転軸線の周りを軌道運動する駆動ピン１６２１を備える。１つの実施形態では、駆動ピン１６２１は、摺動部材２２１の上面に作製させたスロット３２２１に係合し、好ましくは軸線Ｃ−Ｃに垂直になっている。駆動ピン１６２１が回転駆動体６２１の回転軸線の周りを軌道運動する時、ピンは、スロット３２２１の中を進むことができ、その結果、摺動部材２２１及び緩衝パッド１２１を案内部材３２１、４２１に対して引張することを当業者は理解するであろう。
【００６５】
１つの実施形態では、摺動部材及び緩衝パッドの摺動周波数は、約５Ｈｚ〜約５０Ｈｚの間、好ましくは約１０Ｈｚ〜約４０Ｈｚの間、より好ましくは約１５Ｈｚ〜約３０Ｈｚの間である。「摺動周波数」は、摺動部材が１秒間に前後運動する回数を意味する。摺動部材の摺動周波数は回転駆動体６２１の回転速度に依存しており、摺動部材運動の振幅すなわち変位振幅は、駆動ピン１６２１と回転駆動体６２１の回転軸線との間の距離によって決まることを当業者は理解するであろう。１つの実施形態では、変位振幅は１ｍｍ〜３０ｍｍの間、好ましくは約２ｍｍ〜約２０ｍｍの間、より好ましくは約３ｍｍ〜約１０ｍｍの間である。
【００６６】
１つの実施形態では、電動モータ５２１の回転シャフトは、回転駆動体に直接連結されている（すなわち、回転シャフト及び回転駆動体の回転軸線は同一である）。図１５及び１６に示した好ましい実施形態では、電動モータ５２１の回転シャフトは、少なくとも１つの伝導歯車により、回転駆動体に間接的に連結されている。
【００６７】
１つの実施形態では、モータ５２１の回転シャフトの回転軸線は、回転駆動体６２１の回転軸線に実質的に平行である。
【００６８】
図１７及び１８に示した好ましい実施形態では、モータの回転シャフトの回転軸線は、回転駆動体の回転軸線に対して実質的に垂直である。
【００６９】
図１８には、洗浄器具１１が示されており、ここでは、モータ、歯車、及び回転駆動体を内蔵するハウジング７２１の一部並びにハンドル３１の一部は、明瞭化のために示されていない。１つの実施形態では、モータの回転シャフトの回転軸線は、摺動部材２２１に実質的に平行であり、回転駆動体６２１の回転軸線は、摺動部材２２１に対して実質的に垂直である。この実施形態では、自在継手及び／又は組の歯車８２１を使用して、回転シャフトの回転運動を回転駆動体６２１に伝導することができる。特に、回転シャフトの回転軸線が摺動部材６２１に平行である時、モータ、歯車、及び回転駆動体を内蔵するハウジングの高さを低くすることができる。
【００７０】
１つの実施形態では、ハンドル３１の継手４１は、第１の脚部材及び第２の脚部材１４１及び２４１を含むフォークであって、これらが、軸線Ｄ−Ｄ回りで旋回可能にハウジング７２１に連結されている。好ましい実施形態では、脚部材１４１及び２４１は、ハンドル３１を図１９に示したように下向きに押した時に、ハウジング７２１の少なくとも一部が占めることができる容積を形成する。
【００７１】
好ましい実施形態では、ユーザーがハンドル３１に付加した圧力を解放する時に、ハンドル３１がその当初の位置に戻るように、ハンドル３１はハウジング７２１に弾力的に連結されている。
【００７２】
１つの実施形態では、ハンドル３１は、図２０に示したもののような少なくとも１つ、しかし好ましくは２つのばね部材５１により、ハウジング７２１に弾力的に連結されている。１つの実施形態では、ばね部材５１の第１の部分は脚部材１４１に連結可能であり、ばね部材の第２の部分はハウジング７２１に連結可能である。ばね部材５１は、ユーザーが上向き又は下向きの圧力をハンドル３１に付加するのをやめた時に、ハンドル３１がその当初の位置に戻ることを可能にする、いかなる好適な弾力性及び／又は弾性の材料にても作製することができる。ばね部材５１に使用できる好適な材料の非限定的な例としては、金属、プラスチック、木材、及びエラストマー材などが挙げられる。
【００７３】
１つの実施形態では、ハンドル３１内に配した電池は、電気ケーブルにより電気的にモータに接続でき、ケーブルは、ハンドル、脚要素１４１及び／又は２４１の中に配置し、並びに次に脚部材１４１及び／又は２４１とハウジング７２１との間の旋回連結部に作製されている開口部を通してハウジング７２１に挿入可能である。特に、ハンドル内に配置させ旋回連結部を通してハウジングに挿入させた電気ケーブルにより、洗浄作業中にケーブルが損傷されることがある又は水に接触することがあるという危険性を制限しながら、ハンドルがハウジング７２１に対してに旋回することが可能になる。
【００７４】
図２１に示した１つの実施形態では、モータ付き洗浄器具１２は、緩衝パッド２２及びモータを入れて保護するためのハウジング３２を備えており、このモータは少なくとも１つのバッテリ及びスイッチ１３２に電気接続し、補強部材１２２にも作業可能な状態で連結されている。好ましい実施形態では、ハウジング３２は実質的に漏れ止めが施されており、モータ及びハウジング内に存在するその他の電気部品に液体が達しないようにする。前述したように、モータは直接的に摺動部材１２２に連結させることもできるが、好ましくは間接的に連結させる。
【００７５】
１つの実施形態では、ハウジング３２は、ユーザーが洗浄操作中にハウジング３２の上面に手のひらを押し付けることができるように人間工学的に成形されている。１つの実施形態では、ハウジング３２の外側表面は、ユーザーが片手でハウジングを把持できるように、緩衝パッドに対して実質的に凸状になっている。好ましい実施形態では、ハウジング３２は、好ましくは緩衝パッド２２に隣接する（緩衝パッドに対して）凹部部分２３２を有する。好ましい実施形態では、凹部部分２３２は、ハウジング３２の左右両側に存在している。１つの実施形態では、ユーザーがこの凹部部分内に指を接触させる時に、滑って指を凸部部分に入れないようにするために、凹部部分２３２は、少なくとも１つ、しかし好ましくは複数個の突出部１２３２を有する。好ましい実施形態では、ハウジング３２は垂直面に対して実質的に対称である。特に、ユーザーは、対称の平面を備えるハウジングにより、左右どちらの手でもモータ付き器具を使用できる。
【００７６】
１つの実施形態では、ハウジングはアクリロニトリルブタジエンスチレン、ポリプロピレン、又は射出成型可能ないかなる熱可塑性樹脂で作製されている。好ましい実施形態では、凸部部分２３２及び／又は突出部１２３２は、軟質材料で作製されている。軟質材料の非限定的な例としては、エチレンビニルアセテート発泡体、シリコーン、シリコーン発泡体、スチレンブタジエンゴム、熱可塑性エラストマー、熱可塑性発泡体、熱硬化性樹脂発泡体、又はより柔らかい手触りを提供するポリプロピレンとブタジエンゴムブロックコポリマーとの混合物などのポリオレフィン、及びそれらの混合物などが挙げられる。手触りが柔らかい材料のその他の効果は、把持性を向上させるだけではなく、表面がぬれた状態での滑り止め特性を提供することである。例えば、テキサス州ヒューストンのクラトンポリマー（Kraton Polymers Inc.）製の商標名クラトン（KRATON）のスチレンブロックコポリマープラスチックなど熱可塑性エラストマーである。クラトン（KRATON）は、濡れた状態でも乾いた状態でも表面を容易に把持でき、一般的な把持性及びユーザーの手の感触を向上するための柔らい表面を提供する。
【００７７】
１つの実施形態では、スイッチ１３２はハウジング３２の窪み部分３３２内に配置されている。好ましい実施形態では、スイッチ１３２はハウジング３２の対称面に実質的に隣接している。特に、窪み部分３３２内にスイッチ１３２を配置することによって、ユーザーが誤ってモータの電源を入れたり、切ったりすることを防止する。ユーザーがモータの電源を入れる又は切る場合、ユーザーがスイッチ１３２に接触するためには、窪み部分３３２内に少なくとも指の先端を挿入するだけでよい。ユーザーが器具を持っている時にすぐに到達できないハウジングの領域に配置したスイッチは、ユーザーが誤ってモータの電源を入れたり、切ったりすることを防止することを当業者は理解するであろう。
【００７８】
１つの実施形態では、緩衝パッド２２は少なくとも１つの先端部分１２２、好ましくは複数個の先端部分を有する。１つの実施形態では、緩衝パッドは、ハウジング３２の対称面に対して実質的に平行である第１（すなわち、前側）の先端部分１２２及び第２（すなわち、後側）の先端部分２２２を有する。
【００７９】
１つの実施形態では、緩衝パッドは、第１の先端部分１２２及び／又は第２の先端部分２２２に実質的に隣接する少なくとも１つの取り付け構造３２２を備える。
【００８０】
１つの実施形態では、緩衝パッドは、第２（すなわち、後側）の先端部分２２２に実質的に隣接する少なくとも１つの取り付け構造３２２を備える。
【００８１】
先端部分の１つに隣接する取り付け構造を備えた緩衝パッドが搭載されているモータ付き洗浄器具は、ポケットを備えた使い捨て洗浄基材と共に使用できる。第１（すなわち、前側）の先端部分はポケットに挿入され、基材の「自由端」は緩衝パッドの上で折り畳み、取り付け構造３２２に取り付けることができる。
【００８２】
図２２Ａに示した好ましい実施形態では、緩衝パッドは、共に第２（すなわち、後側）の先端部分２２２に実質的に隣接する第１の取り付け構造３３２及び第２の取り付け構造３２２’を備えており、第１（すなわち、前側）の先端部分１２２は取り付け構造を備えていない。１つの実施形態では、第１及び第２の取り付け構造は、洗浄基材を取り付け構造内で押すとこの洗浄基材の少なくとも一部に係合できる複数個の屈折可能なパイ形状部分１３２２を備える。これらのパイ形状部分は、好ましくは基材によってパイ形状部分に加えられる力から外れた方向を向いている。図２２Ｂには、緩衝パッドが備えることのできる代替取り付け構造３２２が示されている。取り付け構造は、取り付け構造の後部に配置される共通頂点を備えた複数個のパイ形状部分１３２２、及び各部分が個別の頂点を備え、取り付け構造の後部から前部に向って広がる複数のパイ形状部分２３２２を搭載することができる。いかなる理論によっても制限されないが、同一取り付け構造内のパイ形状部分１３２２と２３２２との組み合わせは、より多くの把持面を提供して洗浄基材を保持すると考えられる。取り付け構造は、射出成型で一体成形、又は独立して２つ成形して、後で緩衝パッドに連結させることができる。取り付け構造のパイ形状部分は、好ましくは熱可塑性樹脂の射出成型によって作製し、スリットは金型によって形成させるが、代替の作製方法としては、可撓性及び変形可能性を備えたプラスチック材の層にスリットを作製するものか、又は当該技術分野において既知のその他の方法が挙げられる。
【００８３】
１つの実施形態では、取り付け構造３２２及び３２２’は、緩衝パッドに独立して連結させたプラスチック材の２つの個別層で形成されている。好ましい実施形態では、取り付け構造３２２及び３２２’は、次に緩衝パッドに連結させた同一のプラスチック層に形成されている。特に、第１の取り付け構造３２２及び第２の取り付け構造３２２’を備えた緩衝パッドにより、ユーザーは各自由端又はそれぞれ独立している洗浄基材の端を取り付けることができる。前述したように、緩衝パッドは往復運動ができる。その結果、洗浄操作中に洗浄基材が緩衝パッドから外れないようにするためには、洗浄基材の自由端をそれぞれ維持できる少なくとも２つの取り付け構造を搭載することが有益である。
【００８４】
１つの実施形態では、取り付け構造３２２及び／又は存在する場合３２２’上の空間は、ハウジング３２又はハウジング部分によって実質的に閉塞されていない。「実質的に閉塞されていない」は、ハウジング３２が取り付け構造への接触を遮断する形で取り付け構造の上部に実質的に伸長していないことを意味する。前述したように、ユーザーは洗浄基材の自由端を緩衝パッドの先端部の上部で折り畳むことによって、洗浄基材の自由単又は端を取り付け構造に取り付けることができる。したがって、ユーザーが緩衝パッドに洗浄基材を取り付ける際に干渉する及び／又は阻止する可能性のあるいずれかの物体が、取り付け構造の上部空間に実質的に存在しないようにしておくことは有益である。
【００８５】
図２２Ｃには、緩衝パッド３２の第１（すなわち、前側）の先端部分に連結されており、取り付け構造３２２の１つによって係合されている自由端２５２又は端３５２の１つを備えたポケット１５２が搭載されている洗浄基材５２を示してある。明瞭化及び説明のために、洗浄基材の第２自由端は、第２取り付け構造に係合される前の状態が示されている。
【００８６】
両方の自由端又は端を取り付け構造３２２及び／又は３２２’に連結させる場合、緩衝パッド３２の側面部分は、洗浄基材によって少なくとも部分的に覆われている。結果として、洗浄する表面に対して緩衝パッドの側面部分を使用する時、洗浄基材で覆われている緩衝パッドの側面部分を洗浄に使用することもできる。
【００８７】
図２３Ａに示した１つの実施形態では、緩衝パッド３２の先端部分の少なくとも１つが先細になっている。「先細になる」は、緩衝パッドの先端部分の厚さが先端から摺動部材に向って徐々に増していることを意味する。好ましい実施形態では、第１（すなわち、前側）の先端部分１２２は先細になっており、好ましくは取り付け構造を備えていない。洗浄基材、特に開口部を通って接触可能なポケットを備えた不織布洗浄基材を販売用に包装する場合、ポケットを平らにすることができ、結果としてポケットへの接触をもたらす開口部が縮小されることは、当業者は理解するであろう。先頭部分の緩衝パッドが非常に厚い場合、ユーザーが包装から洗浄基材を取り出す時に、開口部を通して緩衝パッドの先端部分を挿入することが困難であり得る。特に、先細になる先端部分によって、洗浄基材の「平らな」ポケット内にこの先端部分を容易に挿入できる。先細になっている前側部分に加えて、端２５２及び３５２の大部分を把持部３２２又は３２２’に係合するために、緩衝パッド２２の後側部分を先細にしてパッドの厚さを減らすこともできる。
【００８８】
前述したように、モータ無し又はモータ付き洗浄器具の緩衝パッドは、好ましくは曲面状表面の形に順応できる変形可能な材料で作製させる。図１０に既に示したように、前側又は後側の先端部分が「曲がっている」場合、緩衝パッドの先端部分によって、ユーザーは緩衝パッド及び最終的に洗浄基材のより狭い面積／領域により大きな力を加えることができる。より小さな領域により大きな力を加えると、洗浄基材と洗浄する表面との摩擦が増加し、その結果、前記表面から強固な染みを除去できることを当業者は理解するであろう。
【００８９】
図２３Ａに示したように、モータ付き洗浄器具は、ハウジングに収納されるモータによって往復運動できる変形可能な緩衝パッドを備えており、ユーザーが緩衝パッドの先端部分を「曲げて」表面から強固な染みを除去する時、緩衝パッドの上面がハウジング３２に接触しないことは有益である。緩衝パッドの先端部分をハウジングに接触させる場合、緩衝パッドの上面とハウジングとの摩擦によって緩衝パッドが損傷する可能性があるが、モータ、歯車、及び／又はモータ付き洗浄器具の他の部品を損傷する可能性もある。
【００９０】
加えて、先端部分が長時間曲がっていると、先端部分の弾性の一部が失われ、湾曲して上向きのまま維持される傾向にある。
【００９１】
前述の問題を防止するためには、先端部分、特に第１（すなわち、前側）の先端部分の変形性の程度を管理することが有益であり得ることが分かる。
【００９２】
図２３Ｂはモータ付き洗浄器具の平面図であり、明瞭化のためにハウジング、モータ、バッテリ、及び歯車は示していない。
【００９３】
１つの実施形態では、洗浄器具は、第１の先端部分１２２の少なくとも一部の上に伸びる補強部材２２４を備える。好ましい実施形態では、補強部材２２４は屈曲可能であり、好ましくは補強部材に力を付加するのをやめた時にその当初の形状に戻ることを可能にするように実質的に弾性である。１つの実施形態では、補強部材は洗浄器具のベース部分１２２０に連結されている。好ましい実施形態では、ベース部分を金型成型する時、補強部材をベース部分と一体化して作製している。１つの実施形態では、先端部分の上面に対して補強部材を使用している。別の実施形態では、補強部材が先端部分内に少なくとも部分的に配置されている。さらに別の実施形態では、補強部材が、緩衝パッドの先端部分内に全体的に配置されているか、及び／又は組み込まれている。緩衝パッドは、補強部材の周りに形成させるか、及び／又は金型成型させることができる。
【００９４】
補強部材は、好ましくは、先端部分に圧力を付加した時に僅かに曲がることが可能な熱可塑性材料で作製する。補強部材２２４の形状、大きさ、及び変形性は、好ましくは、ユーザーが約４．４Ｎ（１ポンド）〜８８．９Ｎ（２０ポンド）の間の圧力を付加して先端部分を曲げた時、先端部分の上面及び／又は補強部材がハウジング３２と接触しない。前述したように、補強部材は、好ましくは弾性材で作製する。特に、実質的に弾性の補強部材によって、緩衝パッドの先端部分に力を付加するのをやめた時に緩衝パッドの先端部分がその当初の形状に戻ることができる。実質的に弾性の補強部材は、前述した先端部分の長期的な「形状記憶の喪失」を実質的に減少させる。
【００９５】
加えて、補強部材は、先端部分の上面とハウジングとの空間、隙間、及び／又は背隙を維持させる。先端部分の上面とハウジングの間に隙間が存在することによって、先端部分がハウジングに対して擦れることを防止し、その結果、使用中にモータ付きエンジンの電力及び／又はエネルギーが枯渇することを防止する。
【００９６】
１つの実施形態では、ハウジングの下縁と緩衝パッド及び／又は補強部材の垂直距離（すなわち、Ｚ方向）は約１〜１０ｍｍの間、好ましくは約２〜９ｍｍの間、より好ましくは約３〜８ｍの間である。１つの実施形態では、 先端部分及び／又は補強部材をハウジングの下縁に接触させるために必要な力は、少なくとも約４．４Ｎ（１ポンド）、好ましくは約８.９Ｎ（２ポンド）、より好ましくは約１３．３Ｎ（３ポンドの力）である。１つの実施形態では、先端部分及び／又は補強部材をハウジングの下縁に接触させるために必要な力は、約８８．９Ｎ（２０ポンド）未満、好ましくは約４４．５Ｎ（１０ポンド）未満、より好ましくは約３５．６Ｎ（８ポンド）未満である。先端部分及び／又は補強部材に加わる力は、緩衝パッドの底面をはかりにかけることで測定できる。次に先端部分は、緩衝パッドの下縁とはかりとの間の接触領域を制限するために、０〜約４５度に回転させながら強制的に曲げられる。器具に加わる力は、先端部分の上面及び／又は補強部材がハウジングの下縁に接触し、はかりによって示される力が記録されるまで増加する。
【００９７】
ＩＩＩ．張力機構
前述のように、モータ無し又はモータ付きの（ハンドル付き又はハンドル無しの）洗浄器具は、基材の少なくとも底部分が、洗浄する表面に接触するように器具のモップヘッドに取り付けた洗浄基材（好ましくは使い捨て洗浄基材）と共に使用することができる。
【００９８】
図２４〜２７に示した１つの実施形態では、洗浄基材５０には、開口部１３５０を通って接触可能なポケット部分３５０を形成するために共に結合させた下層１５０及び上層２５０を搭載することができる。好ましい実施形態では、ポケット部分３５０の形状は、洗浄器具の緩衝パッドの少なくとも一部の形状にほぼ順応している。洗浄基材は、前述のポケット部分を形成するために、折り曲げて次に共に結合が可能な単一層の材料で作製できることを当業者は理解するであろう。
【００９９】
洗浄器具の緩衝パッドの少なくとも部分が、開口部１３５０を通してポケット３５０に挿入可能である。好ましい実施形態では、洗浄基材５０の下層１５０は、延長部分４５０を形成するために、（長手方向軸線２６−２６に沿って測定する時）上層より長くなっている。１つの実施形態では、延長部分４５０は、当技術分野において既知のいずれかの機構によって、所望によりモップヘッドに取り付け可能である。
【０１００】
１つの実施形態では、洗浄器具は、洗浄基材が洗浄器具の緩衝パッドの形状に少なくとも部分的に順応するように洗浄基材を張力下に置くために、（図２７において開放位置で示す）張力機構７０を備える。
【０１０１】
張力機構７０には、三次元突出部分１１７０を備えた雄要素１７０と、突出部分１１７０により係合可能な対応する三次元窪み部分１２７０を備えた雌要素２７０が搭載されている。突出部分及び窪み部分は、当技術分野において既知のいかなる形状をも有することができる。
【０１０２】
１つの実施形態では、雌要素２７０は、張力機構が第１の位置（すなわち閉止位置）にある時、突出部分１１７０が窪み部分１２７０に係合するように、及び張力機構が第２の位置（すなわち開放位置）にある時、突出部分１１７０が窪み部分１２７０に係合しないように、作動可能な状態で雄要素１７０に連結されている。好ましい実施形態では、雌要素は、軸線Ｅ−Ｅに沿って旋回可能な状態で雄要素１７０に連結されている。
【０１０３】
図２８には、開放位置にある張力機構７０を備えたモータ付き洗浄器具１１を示してある。１つの実施形態では、雄要素１７０は、緩衝パッド１２１に取り付け可能、好ましくは接着的に取り付け可能であり、雌要素２７０は、前述のように旋回可能に雄要素１７０に連結されている。雄要素１７０は、緩衝パッド１２１に直接形成（例えば、緩衝パッドの中に成型）することができ、その場合でも同一効果を提供可能であることを理解されるであろう。雄要素と雌要素の位置は逆にすることができ（すなわち、雌要素を緩衝パッドに取り付けることができ）、その場合でも同一効果を提供可能であることも理解されるであろう。
【０１０４】
図２９には、張力機構７０が閉止位置にあるモータ付き洗浄器具１１を示してある。
【０１０５】
張力機構は、モータ無し洗浄器具と共に使用することもでき、その場合でも同一効果を提供可能であることを理解されるであろう。
【０１０６】
好ましい実施形態では、張力機構及び緩衝パッドが器具のモータに対して長手方向へ移動可能であるように、モータ付き洗浄器具の摺動部材２２１が、張力機構７０の上面に連結されている。
【０１０７】
図３０は、図２６に示した洗浄器具１１の軸線２７−２７に沿って見た拡大断面図であり、突出部分１１７０が雌要素２７０の窪み部分１２７０に係合するのを示してある。
【０１０８】
張力機構７０が図２８及び３１に示したように第２の（すなわち開放）位置にある時、ユーザーは、基材５０の上層２５０が張力機構の雄要素１７０の少なくとも一部を覆うように、緩衝パッド１２１の少なくとも一部を図２４〜２６に示した洗浄基材５０のポケット部分３５０の中へ挿入することができる。ユーザーが一旦、緩衝パッドを洗浄基材のポケット部分の中へ挿入すると、ユーザーが雄要素を雌要素に係合するように張力機構を閉じて、雄要素と雌要素の間に「挟まれた」上層２５０が雄要素と雌要素により作り出された三次元経路に追従するように強制することができる。好ましい実施形態では、張力機構が閉止されている時、隙間３７０（図３０に示す）が、突出部分１１７０を窪み部分２１７０から隔てて、上層２５０の一部がこの隙間により作り出される空間内に置かれるようになっている。
【０１０９】
図３２は、緩衝パッド１２１を洗浄基材５０のポケット部分に挿入して開放位置にある張力機構を示した（図３１に示す）軸線３２−３２に沿って見る平面的な断面図である。
【０１１０】
張力機構が図３３に示したように閉止されている時、上層は、雄要素１７０の突出部分１１７０と雌要素２７０の窪み部分１２７０の中間の隙間３７０により作り出される空間を占めるように強制される。１つの実施形態では、閉止位置にある雄要素と雌要素の間の距離は、約０．１ｍｍ〜１０ｍｍの間、好ましくは約０．５ｍｍ〜約５ｍｍの間、より好ましくは０．７ｍｍ〜約２ｍｍの間である。張力機構７０が閉止されている時、上層３５０が張力下に置かれ、それが今度は、図３３に示したように洗浄基材を緩衝パッド１２１の外側表面に対してきつく保持する。その結果、張力機構は、緩衝パッドをポケット部分に挿入することを可能にしたポケット部分の緩みを減少する。
【０１１１】
特に、張力機構は、洗浄作業中に洗浄器具のモップヘッドに取り付けた洗浄基材を保持するための保持メカニズムを提供する。その上、張力機構は、ポケットの緩みを減少させる。モータ付き洗浄器具との関連においては、洗浄基材及び緩衝パッドをモータに対して移動させるためにも、この緩みを取り除くことが有益である。緩衝パッドが洗浄基材に対してそのポケット部分内で実質的に自由に移動する場合には、洗浄基材のモータに対する移動が制限されるおそれがあることを当業者は理解されるであろう。
【０１１２】
さらに加えて、基材を緩衝パッドにしっかり保持し、及び洗浄基材のより大きい部分（底面及び側面）を洗浄に使用可能である時、洗浄器具と共に使用する洗浄基材の洗浄効率が増大する。
【０１１３】
前述のように、モータ無し又はモータ付きの洗浄器具は、使い捨て洗浄基材と共に、好ましくは不織布材料を含む基材と共に使用することができる。この使い捨て洗浄基材は、実質的に乾燥にすることも、又は基材上に含浸させた（液体又はペーストいずれかの）洗浄組成物を含めることもできる。
【０１１４】
１つの実施形態では、ユーザーは、洗浄基材をモータ付き器具の緩衝パッドに取り付けることができ、次にスイッチを入れて、洗浄基材及び緩衝パッド両方を軸線Ｃ−Ｃに沿って前後に移動させることができる。ユーザーは次に、洗浄基材の底面を洗浄する表面に対して当てて、この表面上に存在する汚れを除去することができる。洗浄基材が洗浄される表面に当たって約３Ｈｚ〜４０Ｈｚの間の摺動周波数及び約１ｍｍ〜約３０ｍｍの間の変位振幅で前後に移動する時、ユーザーは、最小圧力をハンドルに付加しながら無理なく表面を洗浄することができる。モータ付き洗浄器具はスイッチを切った時でも使用可能であるが、その際は、ユーザーが緩衝パッドを前後に移動させる必要があることを記さなければならない。
【０１１５】
ユーザーが強固な染みの除去を望む時、又は表面を完全に擦ることを望む時、ユーザーは、洗浄基材をなおも前後に移動させながら、ハンドルに上向き又は下向きの圧力を付加することができる。
【０１１６】
モータ付き洗浄器具をバスタブや流しなどの曲面状表面の洗浄に使用する時、前述のような変形可能であると共に弾性の緩衝パッドにより、洗浄基材は、なお前後に移動可能でありながら、洗浄表面に順応することができる。
【０１１７】
それに加えて、洗浄基材を緩衝パッドの側面及び底面を覆うように緩衝パッドに取り付ける時、洗浄基材は、同時に多表面を洗浄するように使用できる。例えば、緩衝パッドの底面及び緩衝パッドの隣接側面を覆う洗浄基材は、実質的に垂直な２つの壁で形成される表面を洗浄するのに使用することができる。１つの実施形態では、緩衝パッドの右又は左側面の１つの少なくとも一部を、長手方向軸線Ｃ−Ｃ（すなわち緩衝パッドがそれに沿って前後に併進運動する軸線）に実質的に平行にすることができる。好ましい実施形態では、左及び右側面両方の一部が、長手方向軸線Ｃ−Ｃに実質的に平行になっている。更に、緩衝パッドが少なくとも１つの（モータ無し器具の文脈中で前述の）先端部分を含んで、洗浄基材がこの先端部分の底及び側を覆う時、洗浄基材は、３つの実質的に垂直の壁により形成される隅部、又は垂直壁により連結された２つの平行な壁により形成される表面例えばシャワー軌道などを洗浄するのに使用することができる。
【０１１８】
表面の洗浄方法：
前述のモータ付き又はモータ無しの洗浄器具は、家庭又は事業用の屋内外のいかなる表面の洗浄、研磨、摩擦、又は前処理に使用できる。このような器具で洗浄可能な表面の非限定的な例としては、床、調理台、バスタブ、シャワー室、車の外側、車輪、工具、家具、ガラス戸、屋外用家具、木造建造物、コンクリート、アスファルト、レンガ、ヴァイナルサイディング、浴室設備、及び洗浄及び／又は到達が困難なその他の表面が挙げられる。モータ付き及びモータ無しのいずれの洗浄器具にも、任意に、しかし好ましくは、到達困難な領域を摩擦できるようにするために取り付け可能な延長ポールを含めることができる。
【０１１９】
本発明の好ましい実施形態の前述の説明は、例示及び説明の目的で提示してきたものである。それは、包括的であることも、開示されたまさにその形態に本発明を限定することも意図していない。上記教示を考慮すれば、変更又は変形が、当業者により可能であって考え出されるものであり、並びに説明した実施形態は、本発明の原理及びその実際的な応用を最も良く例示するために選定し記述した。本発明の範囲は、本明細書に付随する請求の範囲により定義されるものであり、従来技術が許容する限り広く解釈すべきである。
【０１２０】
本明細書は、本発明を特に指摘し明確に請求する請求項をもって結論とするが、本発明は、下記の説明を添付図面と併せ読むことで更に理解されると考えられる。
【図面の簡単な説明】
【０１２１】
【図１】「従来型」洗浄器具の等角図。
【図２】本発明の１つの実施形態の洗浄器具の等角図。
【図３】図２に示される洗浄器具のモップヘッドの拡大図。
【図４】Ｘ−Ｙ平面内で変形された緩衝パッドを有するモップヘッドの平面図。
【図５】Ｚ方向に変形された緩衝パッドを有するモップヘッドの側面図。
【図６Ａ】本発明の別の洗浄器具の等角図。
【図６Ｂ】本発明の別の洗浄器具の平面図。
【図７】図６Ａの洗浄器具の平面図。
【図８Ａ】曲面状上面を有する別の洗浄器具の正面図。
【図８Ｂ】曲面状の上面及び底面を有する別の洗浄器具の正面図。
【図９】本発明の別の洗浄器具の等角図。
【図１０】図９の洗浄器具の洗浄作業中を示す正面図。
【図１１】本発明の別の洗浄器具の等角図。
【図１２】洗浄器具と、器具の緩衝パッドの下に置かれた使い捨て洗浄基材との平面図。
【図１３】図１２の器具の平面図であって、洗浄基材が緩衝パッドに取り付けられている。
【図１４】緩衝パッドが毛を含む、本発明の器具の等角図。
【図１５】モータ付き洗浄器具の等角図。
【図１６】図１５のモータ付き器具の斜めに見る側面図。
【図１７】別のモータ付き洗浄器具の等角図。
【図１８】図１６のモータ付き器具の等角図であって、モップヘッドハウジング及びハンドルの一部が取り去られている。
【図１９】図１６の器具の等角図であって、ハンドルが下向きに押されている。
【図２０】図１７のモータ付き器具の部分拡大図。
【図２１】別のモータ付き洗浄器具の斜視図。
【図２２Ａ】２つの取り付け構造を有するモータ付き洗浄器具の斜視図。
【図２２Ｂ】取り付け構造の略図。
【図２２Ｃ】図２２Ａのモータ付き器具及びこの洗浄器具に少なくとも部分的に取り付けられている洗浄基材の斜視図。
【図２３Ａ】図２１のモータ付き洗浄器具の側面図。
【図２３Ｂ】補強部材を備える緩衝パッドの平面図。
【図２４】本発明の洗浄基材の斜視図。
【図２５】図２４の洗浄基材の右側面図。
【図２６】図２４の洗浄基材の軸線２６−２６に沿って見る断面図。
【図２７】開放位置にある張力機構の斜視図。
【図２８】開放位置の張力機構を有する洗浄器具の斜視図。
【図２９】図２８の洗浄器具の閉止位置の張力機構を示す斜視図。
【図３０】図２９の洗浄器具の軸線３０−３０に沿って見る拡大斜視断面図。
【図３１】洗浄器具及び洗浄基材の斜視図。
【図３２】基材のポケット部分に挿入された緩衝パッドの一部と開放位置の張力機構とを示す断面図。
【図３３】図３１の器具の閉止位置の張力機構を示す断面図。
【図１】
2008522771.tif 000003
【図２】
2008522771.tif 000004
【図３】
2008522771.tif 000005
【図４】
2008522771.tif 000006
【図５】
2008522771.tif 000007
【図６Ａ】
2008522771.tif 000008
【図６Ｂ】
2008522771.tif 000009
【図７】
2008522771.tif 000010
【図８Ａ】
2008522771.tif 000011
【図８Ｂ】
2008522771.tif 000012
【図９】
2008522771.tif 000013
【図１０】
2008522771.tif 000014
【図１１】
2008522771.tif 000015
【図１２】
2008522771.tif 000016
【図１３】
2008522771.tif 000017
【図１４】
2008522771.tif 000018
【図１５】
2008522771.tif 000019
【図１６】
2008522771.tif 000020
【図１７】
2008522771.tif 000021
【図１８】
2008522771.tif 000022
【図１９】
2008522771.tif 000023
【図２０】
2008522771.tif 000024
【図２１】
2008522771.tif 000025
【図２２Ａ】
2008522771.tif 000026
【図２２Ｂ】
2008522771.tif 000027
【図２２Ｃ】
2008522771.tif 000028
【図２３Ａ】
2008522771.tif 000029
【図２３Ｂ】
2008522771.tif 000030
【図２４】
2008522771.tif 000031
【図２５】
2008522771.tif 000032
【図２６】
2008522771.tif 000033
【図２７】
2008522771.tif 000034
【図２８】
2008522771.tif 000035
【図２９】
2008522771.tif 000036
【図３０】
2008522771.tif 000037
【図３１】
2008522771.tif 000038
【図３２】
2008522771.tif 000039
【図３３】
2008522771.tif 000040
【国際調査報告】
2008522771.tif 000041
2008522771.tif 000042
2008522771.tif 000043
2008522771.tif 000044
2008522771.tif 000045